(57)【要約】【課題】録画予約情報を携帯端末に送信して録画予約の状況をユーザに通知し、メールによる録画予約の使い勝手を向上させた録画装置を提供する。【解決手段】録画予約情報の返信を要求する要求メールをＮＩＣ１１２を介して受信すると、ＭＰＵ１０５は、録画予約情報テーブル１１１Ａに記憶されている録画予約情報を、図６に示すようなフォーマットでＮＩＣ１１２を介して携帯端末３に返信する。この結果、携帯端末３がメールを受信すると、ユーザは、携帯端末３の表示画面３１を見る。このようにして、録画装置１は、録画予約情報と残容量とを携帯端末３に送信して録画予約の状況をユーザに通知する。これにより、ユーザは、外出先でも、録画装置１の録画予約の状況を録画予約情報から知ることができる。【選択図】  図６
2008167117.tif 000002
【特許請求の範囲】
【請求項１】
テレビ番組の録画予約に関する録画予約情報と、適正なユーザを識別する認証情報と、を予め記憶する記憶手段と、
前記記憶手段に記憶されている前記録画予約情報に基づいて、放送局から配信されたテレビ番組をメディアに録画する録画手段であって、前記メディアの残容量を監視する監視機能を有する録画手段と、
ネットワークを介して携帯端末とメールで通信する通信手段と、を備える録画装置において、
前記通信手段は、
前記録画予約情報の返信を要求する要求メールを前記携帯端末から受信すると、その要求メールを送信したユーザに対する認証を前記認証情報に基づいて行い、
そのユーザが適正なユーザであると確認した場合のみ、前記記憶手段に記憶されている前記録画予約情報と、前記メディアの残容量と、を前記携帯端末に返信する録画装置。
【請求項２】
テレビ番組の録画予約に関する録画予約情報を予め記憶する記憶手段と、
前記記憶手段に記憶されている前記録画予約情報に基づいて、放送局から配信されたテレビ番組をメディアに録画する録画手段と、
ネットワークを介して携帯端末とメールで通信する通信手段と、を備える録画装置において、
前記通信手段は、前記録画予約情報の返信を要求する要求メールを前記携帯端末から受信すると、前記記憶手段に記憶されている前記録画予約情報を前記携帯端末に返信する録画装置。
【請求項３】
前記記憶手段は、適正なユーザを識別する認証情報を予め記憶し、
前記通信手段は、
前記携帯端末から前記要求メールを受信すると、その要求メールを送信したユーザに対する認証を前記認証情報に基づいて行い、
そのユーザが適正なユーザであると確認した場合のみ、前記記憶手段に記憶されている前記録画予約情報を前記携帯端末に返信する請求項２に記載の録画装置。
【請求項４】
前記通信手段は、
前記メディアの残容量を監視する監視機能を有し、
前記メディアの残容量を前記録画予約情報とともに返信する請求項２又は３に記載の録画装置。
【発明の詳細な説明】
【技術分野】
【０００１】
本発明は、テレビ番組の録画予約に関する録画予約情報に基づいて、放送局から配信されたテレビ番組をメディアに録画する録画装置に関し、ネットワークを介して携帯端末とメールで通信する録画装置に関するものである。
【背景技術】
【０００２】
従来より、テレビ番組の録画予約に関する録画予約情報に基づいて、放送局から配信されたテレビ番組をメディアに録画する録画装置がある。ここで、メディアは、例えばハードディスク、ＤＶＤ−Ｒ、又はＤＶＤ−ＲＷの光ディスクである。また、録画装置は、例えばハードディスクレコーダ、又はＤＶＤレコーダである。
【０００３】
この録画装置では、録画開始日時／録画終了日時（以下、区別しない時は、両者をまとめて録画予約時間と称する）、及び所望のテレビ番組の配信チャンネルなどを、録画予約情報として、装置本体又は付属するリモコン装置からユーザが設定する。すると、録画装置において、録画予約された日時に、予約した所望のテレビ番組がメディアに記録される。
【０００４】
ここで、外出等の理由により、録画装置を直接あるいはリモコンにより操作できない場合がある。その場合のため、E-mailを使って録画予約可能な録画装置が提案されている（特許文献１参照）。この録画装置は、インターネットを介して携帯電話とメールで通信する通信機能を有する。この録画装置では、ユーザが録画予約情報を記述したメールを携帯電話で作成する。そして、ユーザは作成したメールを携帯電話から録画装置に送信する。メールを受信すると、録画装置は、録画予約可能か否かを判断し、その結果を○か×で記述したメールを携帯電話に返信する。例えば受信したメールの内容が既に録画予約されている内容と重複する場合、×を返信する。これにより、ユーザは、録画予約の結果を知る。
【特許文献１】特開２００５−３１８３５０公報
【発明の開示】
【発明が解決しようとする課題】
【０００５】
しかしながら、特許文献１において、予約結果を受け取るだけでは、ユーザは、メールの内容が既に録画予約されている内容と重複する等、その結果となった理由を知ることができない。そのため、特許文献１では、その結果に対する対応をユーザが取りにくいという問題があった。従って、メールによる録画予約の使い勝手が悪かった。その結果、メールによる録画予約の利用率が悪かった。
【０００６】
本発明はこのような従来の課題を解決しようとするものであり、録画予約情報を携帯端末に送信して録画予約の状況をユーザに通知し、メールによる録画予約の使い勝手を向上させた録画装置を提供することを目的とする。
【課題を解決するための手段】
【０００７】
本発明の録画装置は、前記課題を解決するために以下の構成を備えている。
【０００８】
（１）テレビ番組の録画予約に関する録画予約情報を予め記憶する記憶手段と、
前記記憶手段に記憶されている前記録画予約情報に基づいて、放送局から配信されたテレビ番組をメディアに録画する録画手段と、
ネットワークを介して携帯端末とメールで通信する通信手段と、を備える録画装置において、
前記通信手段は、前記録画予約情報の返信を要求する要求メールを前記携帯端末から受信すると、前記記憶手段に記憶されている前記録画予約情報を前記携帯端末に返信する。
【０００９】
この構成において、メディアは、例えばハードディスク、ＤＶＤ−Ｒ、又はＤＶＤ−ＲＷなどの光ディスクである。また、録画装置は、例えばハードディスクレコーダ、又はＤＶＤレコーダである。また、携帯端末は、例えば携帯電話である。また、録画予約情報は、例えば録画予約総件数、録画予約しているテレビ番組の録画開始日時／録画終了日時、又は録画予約しているテレビ番組の配信チャンネルである。
この構成では、ユーザが、録画装置の録画予約の状況を外出先で知りたいと考え、録画予約情報の返信を要求する要求メールを携帯端末から録画装置に送信する場面を想定している。ユーザは、この要求メールをメール送信時に携帯端末で作成する。
そして、要求メールを携帯端末から受信すると、通信手段は、記憶手段に記憶されている録画予約情報を携帯端末に返信する。携帯端末がメールを受信すると、ユーザは、携帯端末の表示画面を見る。
このようにして、録画装置は、録画予約情報を携帯端末に送信して録画予約の状況をユーザに通知する。これにより、ユーザは、外出先でも、録画装置の録画予約の状況を録画予約情報から知ることができる。
以上より、メールによる録画予約の使い勝手（ユーザビリティ）を向上させることができる。
【００１０】
（２）前記記憶手段は、適正なユーザを識別する認証情報を予め記憶し、
前記通信手段は、
前記携帯端末から前記要求メールを受信すると、その要求メールを送信したユーザに対する認証を前記認証情報に基づいて行い、
そのユーザが適正なユーザであると確認した場合のみ、前記記憶手段に記憶されている前記録画予約情報を前記携帯端末に返信する。
【００１１】
この構成において、認証情報は、例えば適正なユーザの生体情報（指紋など）、パスワードである。
この構成では、要求メールを送信したユーザが適正なユーザでなかった場合、通信手段が録画予約情報の返信を禁止している。
これにより、悪意の第三者に録画予約情報を不正に除かれるのを防止することができる。従って、メールによる録画予約の使い勝手を一層向上させることができる。
【００１２】
（３）前記通信手段は、
前記メディアの残容量を監視する監視機能を有し、
前記メディアの残容量を前記録画予約情報とともに返信する。
【００１３】
この構成において、録画装置は、録画予約情報を携帯端末に送信して録画予約の状況とメディアの残容量とをユーザに通知する。これにより、ユーザは、メディアの残容量が少ない場合、録画を中止すればよいことが直ぐに分かる。
従って、メールによる録画予約の使い勝手を一層向上させることができる。
【発明の効果】
【００１４】
この発明によれば、メールによる録画予約の使い勝手（ユーザビリティ）を向上させることができる。
【発明を実施するための最良の形態】
【００１５】
以下、本発明の実施形態である録画装置について説明する。
【００１６】
図１は、本発明の実施形態である録画装置の構成を示すブロック図である。録画装置１は、入力されたデータを所定のメディアに記録し、再生指示に応じて既に記録されているデータを再生する記録再生部１０４と、録画予約情報に基づく記録再生部１０４への記録及び記録再生部１０４からの再生、及び以下に説明する各部の動作を制御するマイクロコンピュータ（ＭＰＵすなわち主制御装置）１０５と、を備える。
【００１７】
記録再生部１０４は、例えばＤＶＤ（Ｄｉｇｉｔａｌ  Ｖｅｒｓａｔｉｌｅ  Ｄｉｓｋ）規格に準拠して製造された光ディスク１００に、テレビ番組等の記録及び再生を行う光ディスクドライブ１０４Ａと、内臓のＨＤ（ハードディスク）に大容量データを記録するＨＤＤ（ハード光ディスクドライブ）１０４Ｂと、データプロセッサ１０４Ｃと、を備える。
なお、光ディスク１００は、例えば追記録可能なＤＶＤ−Ｒ、書換え可能なＤＶＤ−ＲＡＭ等の記録可能光ディスクとする。
【００１８】
データプロセッサ１０４Ｃは、ＭＰＵ１０５の制御に従って、エンコーダ部１０３から出力された記録データを光ディスクドライブ１０４Ａに供給したり、光ディスク１００の再生信号を光ディスクドライブ１０４Ａから取り込み、デコーダ部１０６に供給する。
また、データプロセッサ１０４Ｃは、ＭＰＵ１０５の制御に従って、エンコーダ部１０３から出力された記録データをＨＤＤ１０４Ｂに供給したり、ＨＤＤ１０４Ｂからの再生信号をデコーダ部に供給する。
【００１９】
さらに、データプロセッサ１０４Ｃは、ＭＰＵ１０５の制御に従って、光ディスク１００あるいはＨＤＤ１０４Ｂに記録された管理データを書替えたり、記録されたデータの削除を行う。
【００２０】
ＡＶ入力端子１０１は、記録対象である映像信号や音声信号等を装置本体１外部から入力し、接続されているエンコーダ部１０３に出力する。
チューナ１０２は、例えば放送事業者等に代表される情報配信者から配信されるテレビ放送信号が受信されるアンテナ（不図示）と接続されている。そして、チューナ１０２は、アンテナで受信したテレビ放送信号から選択されているチャンネルのテレビ放送信号を抽出し、エンコーダ部１０３に出力する。テレビ放送信号は、例えばＭＰＥＧ２で圧縮された信号である。
【００２１】
エンコーダ部１０３は、ＡＶ入力端子１０１やチューナ１０２から入力された映像信号や音声信号をエンコードして圧縮し、記録データとして、データプロセッサ１０４Ｃに出力する。
【００２２】
デコーダ部１０６は、記録再生部１０４から出力された再生信号をデコードして伸長する。デコーダ部１０６には、（デコーダ部１０６により）デコードされた再生信号を、テレビ等の再生装置に供給するためのＡＶ出力端子１０７が接続されている。
【００２３】
ＭＰＵ１０５には、タイマーマイコン１０９が接続されている。
タイマーマイコン１０９は、録画装置１の時間管理に利用されるタイマー回路（時計ユニット）１０９Ａを有している。タイマーマイコン１０９には、ユーザからの操作（指示）を受け付ける操作部１１０が接続されている。
【００２４】
また、ＭＰＵ１０５には、録画予約情報あるいは装置１本体の動作状態を表示する表示部１０８と、ネットワーク５とケーブル１１３を介して接続されるＮＩＣ（ネットワークインタフェースカード）１１２と、及び制御プログラムを記憶するメモリ１１１と、が接続されている。
【００２５】
メモリ１１１は、例えばＥＥＰＲＯＭである。メモリ１１１は、録画予約情報テーブル１１１Ａを記憶する。
図２は、本発明の実施形態である録画装置の録画予約情報テーブル１１１Ａの記憶内容を示す図である。録画予約情報テーブル１１１Ａは、テレビ番組の録画予約に関する録画予約情報を予め記憶するテーブルである。録画予約情報テーブル１１１Ａには、録画予約情報として、管理情報から取得された録画済みのテレビ番組に関する録画開始／終了時刻などの情報、録画予約総件数、及び録画開始日時／録画終了日時（以下、両者をまとめて録画予約時間とも称する）、及び所望のテレビ番組の配信チャンネル（録画予約チャンネル）が記憶されている。
【００２６】
なお、メモリ１１１には、ネットワークにおいて広く利用されているブラウザソフトやメールソフトが予めインストールされている。また、ネットワーク５は、具体的には、電話回線あるいはＣＡＴＶ回線等により接続されるインターネットである。
【００２７】
図１に戻り、ＭＰＵ１０５は、メモリ１１１に記憶されている制御プログラムに従い、光ディスク１００に対するデータの記録、再生及び削除、操作部１１０を介して入力された録画予約情報に対応する録画動作、表示部１０８を用いた表示動作等を制御する。
【００２８】
ＭＰＵ１０５は、光ディスクドライブ１０４Ａ又はＨＤＤ１０４Ｂから光ディスク１００又はハードディスクの管理情報を取得する。そして、ＭＰＵ１０５は、取得した管理情報からＨＤＤ１０４Ｂと、光ディスクドライブ１０４Ａにセットされた光ディスク１００と、の残容量を監視する。
そして、ＭＰＵ１０５は、メディアの残容量を、録画予約情報とともに録画予約情報テーブル１１１Ａに記録する（図２参照）。また、ＭＰＵ１０５は、録画予約情報から録画予約総件数を算出する。そして、ＭＰＵ１０５は、録画予約総件数を録画予約情報として録画予約情報テーブル１１１Ａに記録する（図２参照）。
【００２９】
タイマーマイコン１０９は、タイマー回路（時計ユニット）１０９Ａ及び録画予約情報テーブル１１１Ａをモニタしながら、ユーザにより設定された録画予約情報を管理し、録画開始時刻に達した時点でＭＰＵ１０５に録画開始指示、及び録画終了時刻に達した時点でＭＰＵ１０５に録画終了指示を出力する。即ち、タイマーマイコン１０９は、録画予約情報テーブル１１１Ａの録画予約情報に基づいて、ＭＰＵ１０５に指示を出力する。そして、この指示を受けると、ＭＰＵ１０５は、録画予約情報に基づいてチューナ１０２を同調し、テレビ番組をメディアに録画する。
【００３０】
操作部１１０は、ユーザからの操作を受け付ける複数の操作キーを有している。これらのキー操作により、ユーザは、録画、再生、録画予約情報の入力及び録画予約情報の変更等を行う。又、操作部１１０は、図示しないリモコン（リモートコントロール端末）から送信された制御信号を受け入れるデータ受信部１１０Ａを含む。この制御信号は、操作部１１０を介してＭＰＵ１０５に伝送される。
【００３１】
なお、スタンバイ状態では、タイマーマイコン１０９、ＭＰＵ１０５、メモリ１１１、及びＮＩＣ１１２のみに電源が供給されている。
【００３２】
ここで、ＭＰＵ１０５、ＮＩＣ１１２が、本発明の「通信手段」に相当する。また、ＨＤＤ１０４Ｂ、光ディスク１００及び一時記録部が、本発明の「メディア」に相当する。また、光ディスクドライブ１０４Ａ及びＨＤＤ１０４Ｂが、本発明の「録画手段」に相当する。また、メモリ１１１が、本発明の「記憶手段」に相当する。
【００３３】
図３は、本発明の実施形態において、ユーザ所有の携帯端末と録画装置とがネットワークを介してメール等で通信するシステムを示す図である。録画装置１及び携帯端末３は、図３に示すように、ネットワーク５上に設置されたメールサーバ２に接続されている。メールは、例えばＥ−mailである。
【００３４】
携帯端末３は、携帯電話、ＰＣ（Ｐｅｒｓｏｎａｌ  Ｃｏｍｐｕｔｅｒ）、ＰＤＡ（Ｐｅｒｓｏｎａｌ  Ｄｅｇｉｔａｌ  Ａｓｓｉｓｔａｎｔ）、又はＰＨＳ（Ｐｅｒｓｏｎａｌ  Ｈａｎｄｙ−ｐｈｏｎｅ  Ｓｙｓｔｅｍ）等、既存の通信機器である。携帯端末３は、後述の図５及び図６のような画面を表示する表示画面３１と、ユーザの操作を受け付ける操作部３２と、を備える。
【００３５】
録画装置１及び携帯端末３は、図３に示すような通信システムによって、互いにメールを送受信する。例えば、ユーザが録画予約情報を記述したメールを携帯端末３で作成する。携帯端末３によりユーザからのメールが、メールサーバ２に送信される。このメールは、メールサーバ２に設けられたメールボックスに格納される。録画装置１は、メールサーバ２からメールを受信し、メール本文中の特定の符号列を録画予約情報と判断する。録画装置１は、録画予約可能か否かを判断し、その結果を○か×で記述したメールを携帯端末３に返信する。例えば受信したメールの内容が既に録画予約されている内容と重複する場合、×を返信する。これにより、ユーザは、録画予約の結果を知る。そして、録画予約可能であれば、録画装置１は、該録画予約情報を録画予約情報テーブル１１１Ａに格納する（図２参照）。
【００３６】
図４は、本発明の実施形態である録画装置のＭＰＵが行う動作を示すフローチャートである。図５は、ユーザ所有の携帯端末が録画装置１に送信するメールのフォーマットの一例を示す図である。図４の動作は、録画装置１がメールを受信した時の動作である。図４では、ユーザが、録画装置１の録画予約の状況を外出先で知りたいと考え、録画予約情報の返信を要求する要求メールを携帯端末３から録画装置１に送信する場面を想定している。ユーザは、この要求メールを携帯端末３の表示画面３１でメール送信時に作成する。この要求メールは、図５に示すように、宛て先や差出人や件名が記述される領域３１Ａと、メールの本文に当たる領域３１Ｂと、に分かれる。ここで、領域３１Ａの件名には、後述のＳ２で行われる認証のためのパスワードが記述されている。このパスワードについても、ユーザがメール送信時に入力する。
【００３７】
メールをＮＩＣ１１２を介して受信すると、ＭＰＵ１０５は、そのメールが録画予約情報の返信を要求する要求メールであるかどうかを判定する（Ｓ１）。この判定を設けた理由は、迷惑メールの差出人に、録画予約情報を返信するのを防止するためである。
【００３８】
要求メールでない場合、ＭＰＵ１０５は、対応するその他の処理を行う。
【００３９】
一方、要求メールである場合、ＭＰＵ１０５は、その要求メールを送信したユーザに対する認証を、適正なユーザを識別する認証情報に基づいて行う（Ｓ２）。この認証を行うため、その認証情報をメモリ１１１に予め記憶させておく。認証情報は、例えば適正なユーザの生体情報（指紋など）、パスワードである。
【００４０】
ＭＰＵ１０５は、要求メールを送信したユーザが適正なユーザであるかどうかを判定する（Ｓ３）。この判定は、例えばメモリ１１１に予め記憶させておいたパスワードと、表示画面３１の領域３１Ａの件名に記述されているパスワードと、を照合することにより行われる。
【００４１】
要求メールを送信したユーザが適正なユーザであると確認すると、ＭＰＵ１０５は、録画予約情報テーブル１１１Ａに記憶されている録画予約情報と残容量とをＮＩＣ１１２を介して携帯端末３に返信し（Ｓ４）、本処理を終了する。録画装置１は、図６に示すようなフォーマットで、録画予約情報と残容量とを携帯端末３に返信する。携帯端末３がメールを受信すると、ユーザは、携帯端末３の表示画面３１を見る。
【００４２】
図６は、録画装置１がユーザ所有の携帯端末に送信するメールのフォーマットの一例を示す図である。このようにして、録画装置１は、録画予約情報と残容量とを携帯端末３に送信して録画予約の状況をユーザに通知する。
【００４３】
これにより、ユーザは、外出先でも、録画装置１の録画予約の状況を録画予約情報から知ることができる。また、ユーザは、ＤＶＤ１００の残容量が少なくて、ＨＤＤ１０４Ｂの残容量が十分ある場合（図６参照）であって、録画先がＤＶＤ１００に指定されている場合、ユーザは録画予約情報を受信することにより、録画先をＨＤＤ１０４Ｂに変更すればよいことが直ぐに分かる。
以上より、メールによる録画予約の使い勝手を向上させることができる。
なお、この実施形態では、Ｓ４において録画予約情報と残容量とを送信しているが、実施の際は、録画予約情報だけでも構わない。
【００４４】
一方、要求メールを送信したユーザが適正なユーザでないと確認すると、ＭＰＵ１０５は、認証結果がＮＧであった旨のメールを携帯端末３に返信し（Ｓ５）、本処理を終了する。即ち、Ｓ５では、録画予約情報の返信を禁止している。
【００４５】
これにより、悪意の第三者に録画予約情報を不正に除かれるのを防止することができる。従って、メールによる録画予約の使い勝手を一層向上させることができる。
なお、この実施形態では、Ｓ２およびＳ３において認証を行っているが、実施の際は、認証を省略しても構わない。
【００４６】
また、本発明の実施形態は、以下の変形例を採用することができる。
【００４７】
携帯端末３の表示画面３１は、テレビ画面（２０インチ等）と比べて小さい。そこで、以下の３通りの方法を紹介する。
【００４８】
まず、上述の図６に示すように、予約しているテレビ番組毎に改行を付加する。
【００４９】
次に、Ｓ４において返信する録画予約情報のフォントサイズを、上述の図６のフォントサイズより大きくする。例えば上述の図６のフォントサイズが「１２」であれば、「１６」にする。
【００５０】
最後に、Ｓ４において、要求メールを受信した受信日の録画予約情報だけを返信する。例えば、受信日が４月７日であれば、４月７日の録画予約情報である「野鳥の観察」の行（図２参照）だけを返信する。なお、ＭＰＵ１０５は、タイマーマイコン１０９を調べることにより、受信日を知る。
【００５１】
以上により、携帯端末３の表示画面３１において、録画予約情報を見やすくすることができる。従って、メールによる録画予約の使い勝手を一層向上させることができる。
【図面の簡単な説明】
【００５２】
【図１】本発明の実施形態である録画装置の構成を示すブロック図
【図２】本発明の実施形態である録画装置の録画予約情報テーブル１１１Ａの記憶内容
【図３】本発明の実施形態において、ユーザ所有の携帯端末と録画装置とがネットワークを介してメール等で通信するシステムを示す図
【図４】本発明の実施形態である録画装置のＭＰＵが行う動作を示すフローチャート
【図５】ユーザ所有の携帯端末が録画装置１に送信するメールのフォーマットの一例を示す図
【図６】録画装置１がユーザ所有の携帯端末に送信するメールのフォーマットの一例を示す図
【符号の説明】
【００５３】
１−録画装置
２−メールサーバ
３−携帯端末
５−ネットワーク
３１−表示画面
３１Ａ−領域
３１Ｂ−領域
３２−操作部
１００−光ディスク
１０１−ＡＶ入力端子
１０２−チューナ
１０３−エンコーダ部
１０４−記録再生部
１０４Ａ−光ディスクドライブ
１０４Ｂ−ＨＤＤ
１０４Ｃ−データプロセッサ
１０５−ＭＰＵ
１０６−デコーダ部
１０７−ＡＶ出力端子
１０８−表示部
１０９−タイマーマイコン
１１０Ａ−データ受信部
１１０−操作部
１１１−メモリ
１１１Ａ−録画予約情報テーブル
１１２−ＮＩＣ
１１３−ケーブル
【図１】
2008167117.tif 000003
【図２】
2008167117.tif 000004
【図３】
2008167117.tif 000005
【図４】
2008167117.tif 000006
【図５】
2008167117.tif 000007
【図６】
2008167117.tif 000008